(57)【特許請求の範囲】
【請求項１】
車両の表示装置（２００）によって車両の走行状態を表示するための制御情報を決定する方法において、前記方法は次の各ステップを含んでおり、すなわち、
物体との衝突の危険がない車両の安全な走行状態を判定し（１０１）、
前記安全な走行状態と関連づけたうえで、車両の最新の走行状態を判定し（１０３）、
前記安全な走行状態と前記最新の走行状態とに基づいて前記表示装置（２００）を制御するための制御情報を決定し（１０５）、
前記制御情報は、前記安全な走行状態に関する情報と前記最新の走行状態に関する情報を関連づけたうえで前記最新の走行状態に関する情報を前記表示装置により惹起するために構成されており、
前記最新の走行状態に関する情報は車両と物体との衝突までの時間に関する情報を含んでおり、
前記表示装置は、前記車両と物体との衝突までの時間に関する情報が記された、円形の目盛（２０２）を有していることを特徴とする、方法。
【請求項２】
前記車両と物体との衝突までの時間に関する情報は数値で表示されることを特徴とする、請求項１に記載の方法。
【請求項３】
前記表示装置（２００）は前記安全な走行状態に割り当てられたマーキングを有しており、前記方法は前記安全な走行状態と前記最新の走行状態との比較を実行するステップを含んでおり、前記制御情報は、前記最新の走行状態に関する情報を前記比較に依存して前記マーキングと関連づけたうえで表示するために構成されている、請求項１または２に記載の方法。
【請求項４】
前記表示装置は、車両と物体との距離が少なくとも近似的に一定に保たれる第１の走行状態に割り当てられた第１のセクタ（２１０）と、車両と物体との距離が減っていく第２の走行状態に割り当てられた第２のセクタ（２１４）と、車両と物体との距離が増えていく第３の走行状態に割り当てられた第３のセクタ（２１２）とを含んでおり、前記制御情報は、比較に依存して前記第１、前記第２、または前記第３のセクタで前記最新の走行状態を表示するために構成されている、請求項３に記載の方法。
【請求項５】
前記制御情報は、前記第１、前記第２、および前記第３のセクタ（２１０，２１２，２１４）のサイズ比率を車両の速度に関する情報に依存して調整するために構成されている、請求項４に記載の方法。
【請求項６】
車両の走行状態を表示するための表示装置（２００）において、次の各構成要件を有しており、すなわち、
車両と物体との距離が少なくとも近似的に一定に保たれる第１の走行状態に割り当てられた第１の表示領域（２１０）と、
車両と物体との距離が減っていく第２の走行状態に割り当てられた第２の表示領域（２１４）と、
車両と物体との距離が増えていく第３の走行状態に割り当てられた第３の表示領域（２１２）と、
車両の安全な走行状態に関する情報と車両の最新の走行状態に関する情報を関連づけたうえで前記車両の最新の走行状態に関する情報の表示を惹起するために、前記表示装置（２００）を制御するための制御情報を受信するためのインターフェースと、
前記最新の走行状態に関する情報は車両と物体との衝突までの時間に関する情報を含んでおり、
前記表示装置は、前記車両と物体との衝突までの時間に関する情報が記された、円形の目盛（２０２）を有している表示装置。
【請求項７】
前記最新の走行状態を表示する指針（２２０）が保たれるべき前記第１の表示領域（２１０）は、前記円形の目盛の上方にある、請求項６に記載の表示装置（２００）。
【請求項８】
前記物体の結像（８３０）を表示するための表示領域を有している、請求項６または７に記載の表示装置（２００）。
【請求項９】
走行課題にあたって表示装置（２００）により車両の運転者を支援する方法において、次の各ステップを含んでおり、すなわち、
請求項１から５のいずれか１項に記載の制御情報を決定し、
請求項６から８のいずれか１項に記載の表示装置に前記制御情報を提供し（１０７）、
前記制御情報に対する応答として、車両の安全な走行状態に関する情報と車両の最新の走行状態に関する情報を関連づけたうえで前記最新の走行状態に関する情報を前記表示装置（２００）によって表示する方法。
【請求項１０】
請求項１から５または９に記載の方法の各ステップを実行するために構成されている機構。
【請求項１１】
プログラムが情報システムで実行されたときに請求項１から５または９に記載の方法の各ステップを実行するためのプログラムコードを有しているコンピュータプログラム製品。
【発明の詳細な説明】
【技術分野】
【０００１】
本発明は、車両の走行状態を表示する方法、車両の走行状態を表示するための表示装置、これに対応する機構、ならびにこれに対応するコンピュータプログラム製品に関する。
【背景技術】
【０００２】
自動車のインストルメントパネルは、多くの場合、スピードメータとタコメータという２つの表示計器が主体となっている。
【０００３】
特許文献１は、一方では、車両に対応する速度を表示することができるとともに、他方では、他車両に関わる速度を表示することができる、車両用の表示計器を記載している。
【先行技術文献】
【特許文献】
【０００４】
【特許文献１】米国特許第６，９２２，１３９Ｂ２号明細書
【発明の概要】
【発明が解決しようとする課題】
【０００５】
以上を背景としたうえで、本発明により、車両の走行状態を表示する方法、車両の走行状態を表示するための表示装置、走行課題にあたって表示装置により車両の運転者を支援する方法、さらにはこれらの方法を適用する機構、ならびに最後にこれに対応するコンピュータプログラム製品が、それぞれ主請求項に基づいて提供される。好ましい実施形態は、それぞれの従属請求項および以下の説明から明らかとなる。
【課題を解決するための手段】
【０００６】
本発明の取組みにより、車両の運転者は、たとえば先行車両との距離を維持するときに支援を受けることができる。そのために、状況によっては先行車両との衝突の恐れがある車両の現在の走行状態を、衝突の恐れがない車両の安全な走行状態と関連づけたうえで運転者に表示することができる。それによって運転者は、最新の走行状態から安全な走行状態への移行に関して支援を受けることができる。表示装置は、他車両や物体と車両との衝突が起こる時点を表示する、いわゆる衝突余裕時間スピードメータとして具体化されていてよい。この表示装置は、車両のインストルメントパネルの追加の計器として、または、タコメータの代わりに設けられていてよい。
【０００７】
スピードメータには、速度制限を守るという理由からしてすでに常に注意を払わなければならないのに対して、タコメータの表示は多くの運転者にとって関心外である。このことは、オートマチックトランスミッションや無段階変速装置を備える車両の運転者に特別に当てはまる。もともとシフトチェンジの役割から解放されているからである。あるいはマニュアルトランスミッション車両の多くの運転者も、タコメータよりむしろ聴覚に基づいてシフトチェンジを行っている。
【０００８】
本発明の１つの実施形態では、タコメータはTime to Collision（衝突余裕時間）スピードメータ（略してＴＴＣスピードメータ）によって置き換えられる。ＴＴＣスピードメータは、想定される衝突までの時間を表示することができる。
【０００９】
当然ながら、ＴＴＣスピードメータを既存のインストルメントの補足とすることもできる。
【００１０】
自動車ドライバーがＴＴＣスピードメータを非常に有用なものとして直観的に感じる理由は、その表示量である「衝突余裕時間」すなわち想定上の衝突までの時間が、先行車両との間隔調整という走行課題を果たすために、厳密には部分的課題を果たすために、人間が視覚システムを用いて形成する量に非常に近いからである。
【００１１】
ＴＴＣスピードメータは、１つまたは複数の先行車両との距離をコントロールするＡＣＣドライバー支援システム（ＡＣＣ＝Adaptive Cruise Controlアダプティブクルーズコントロール）との組み合わせで採用するのに格別に適している。ＡＣＣシステムはすでに周知であり、多くの場合、レーザーセンサ装置に依拠するものであり、部分的にはレーザレーダセンサ装置にも依拠している。近年では、ＡＣＣ機能を改良、拡張するために、たとえばレーダとビデオのような複数のセンサが融合される。
【００１２】
いわゆる目標物体の後方での通常のＡＣＣ追従走行中、運転者はアクセルやブレーキを操作する必要がない。システムが物体を追跡することができない状態になると、走行課題を引き継ぐように運転者への要請がなされる。ＡＣＣシステムの利用中、運転者は多くの場合、ＡＣＣコントロールのシステム状態に関してわずかしか情報を知らされず、もしくはまったく情報を知らされない。その理由は部分的に測定データの不確実性にあり、ＡＣＣコントローラは、そのような測定データを用いて作動しなくてはならない。
【００１３】
しかしながら最新の開発成果は、一眼カメラを用いるビデオに基づいたトラッキングすなわち物体追跡が、従来には知られていなかった品質で可能になることを示している。
【００１４】
こうした画像に基づくトラッキングは、どの時点においても画像撮影のサイクルで、典型的には１秒あたり２５枚の画像で、あるいはこれ以外のサイクルで、１つまたは複数の目標物体との衝突余裕時間（ＴＴＣ）を決定できるようにするという可能性を開くものである。
【００１５】
運転者としての人間も、前方車両との距離をコントロールするためには、視覚情報だけに頼らざるを得ない。前方車両との典型的な距離範囲では、まだ立体視が役割を果たすことはほとんどできないので、人間は、目標物体が相対的に見て近づいているか遠ざかっているかを認識するために、特に目標物体の結像の大きさの変化を目によって断定する。したがって、この課題はただ１つの目でも良好に果たすことができ、このことは経験が裏づけている。
【００１６】
画像に基づくトラッキング方式も、同じくただ１つのカメラしか必要とすることがなく、人間が可能であるよりもはるかに高い精度で、物体の大きさの変化を測定する。
【００１７】
したがって測定結果の高い品質に基づき、ＴＴＣスピードメータのような表示計器を制御して正しい信号を表示するために、異常な外乱が含まれないようにすることが可能である。
【００１８】
たとえばレーダないしレーザレーダのようなこれまで通常用いられているセンサの信号を、ＴＴＣスピードメータの制御のために、場合により適当にフィルタリングした後で利用することも可能である。
【００１９】
本発明は、車両の表示装置によって車両の走行状態を表示するための制御情報を決定する方法を提供するものであり、この方法は次の各ステップを含んでいる：
【００２０】
物体との衝突の危険がない車両の安全な走行状態を判定し、
【００２１】
安全な走行状態と関連づけたうえで車両の最新の走行状態を判定し、
【００２２】
安全な走行状態と最新の走行状態とに基づいて表示装置を制御するための制御情報を決定し、制御情報は、安全な走行状態に関する情報と関連づけたうえで最新の走行状態に関する情報の表示を表示装置によって惹起するために構成されている。
【００２３】
表示装置は車両のインストルメントパネルに配置されていてよく、たとえばＴＣＣスピードメータとして製作されていてよい。物体は、定置の物体、定置の他車両、または先行もしくは後続する他車両であってよい。表示装置は目盛を有することができ、その追加もしくは代替として、さまざまなセクタを有することができる。表示装置により、安全な走行状態との関係で最新の走行状態がどのように推移しているかを、運転者に表示することができる。安全な走行状態では、車両と他車両の距離が変化しておらず、もしくは所定の許容範囲内でのみ変化している。したがって衝突の危険がない。最新の走行状態が安全な走行状態に相当しているとき、最新の走行状態を安全な走行状態として表示することができ、それは、たとえば最新の走行状態を表示する指針が、安全な走行状態に割り当てられている表示装置のセクタの内部にあることによって行われる。他車両との距離が変化すると、最新の走行状態は安全な走行状態に相当しなくなる。その場合には表示装置により、最新の走行状態と安全な走行状態との差異を表示することができ、それは、たとえば最新の走行状態を表示する指針が、安全な走行状態に割り当てられている表示装置のセクタの外部にあることによって行われる。このように最新の走行状態は、車両と他車両との間に衝突の危険がある状態か、または、車両と他車両との間の衝突の危険がない状態かのいずれかに相当している。衝突の危険がない状態は、安全な走行状態と、車両と他車両との距離が継続的に増している別の状態とに下位区分することができる。追加情報により、最新の車両状態を前提としたうえで、速度の低下または速度の上昇によって車両を安全な走行状態に移行させることができることを、運転者に表示することができる。安全な走行状態と最新の走行状態をどちらも判定できるようにするために、最新の測定データを評価することができる。これらの測定データは、車両のセンサのインターフェースを介して受信することができる。測定データは車両に関わるデータを含むことができ、たとえば車両の速度を含むことができる。測定データは他車両に関わるデータも含むことができ、たとえば、車両と他車両との間の距離または相対速度を含むことができる。車両と他車両との間の距離の変化または維持は、車両の画像検出装置により検出される、時間的に連続する他車両の画像撮影の評価によって決定することもできる。たとえば第１の画像撮影では、画像撮影で結像された他車両の構造部の第１の寸法を決定することができ、時間的にその後に検出された第２の画像撮影では、画像撮影で結像された他車両の同一の構造部の第２の寸法を決定することができる。これらの寸法を比較することで、これらの車両が互いに近づきつつあるか、互いに離れつつあるか、それとも一定の距離を維持しているかを判定することができる。最新の走行状態を判定するために、このような仕方またはこれ以外の仕方で判定される車両と他車両の間の距離変化を、時間を通じて評価することができる。車両と他車両との間の最新の速度差も評価することができる。距離が一定に保たれているときには、または速度差が生じていないときには、安全な走行状態が成立する。距離が変化しているときには、または速度差が生じているときには、最新の走行状態は安全な走行状態に相当していない。安全な走行状態に割り当てられていてよい速度は、それを遵守していれば衝突の危険がない速度である。相対速度が最新の走行状態に割り当てられていてよい。それぞれの車両の相対速度と距離とに基づく値も、最新の走行状態に割り当てられていてよい。相対速度がゼロに等しくないときには衝突の危険があり、または場合により、それぞれの車両間の距離が意図せず広がっていく危険がある。相対速度は車両の速度に依存して決まる。したがって表示装置を通じて、安全な速度に対する最新の速度の差異に相当する、もしくはこれに基づく、差異を表示することができる。このとき差異は、適当なスケーリングで表示することができる。制御情報は電気信号として、インターフェースを介して表示装置へと提供することができる。
【００２４】
１つの実施形態では、最新の状態に関する情報は、車両と物体が衝突するまでの時間に関する情報を含むことができる。そのために時間の値を直接表示することができ、または、最新の走行状態を表示する指針が相応の値を示すことができる。このことは、安全な走行状態に達するにはどれだけ迅速に反応しなければならないかの示唆を運転者に与える。
【００２５】
表示装置は、安全な走行状態に割り当てられたマーキングを有することができる。このケースでは本方法は、安全な走行状態と最新の走行状態との間の比較を実行するステップを含むことができ、制御情報は、この比較に依存してマーキングと関連づけたうえで、最新の走行状態に関する情報を表示するために構成されていてよい。たとえば安全な走行状態には、衝突の危険がない車両の安全な速度が割り当てられていてよい。比較のときには、安全な速度を車両の最新の速度と比較することができる。比較によって判定された速度差を、表示装置で表示することができる。関連づけは、たとえばマーキングと、最新の走行状態を示すたとえば指針のような表示部材との間の間隔によって表すことができる。たとえば速度差が大きくなるほど、この間隔も広がるようにすることができる。安全な走行状態に割り当てられたマーキングは、運転者にとって最新の走行状態の見積りを容易にする。
【００２６】
このとき表示装置は、車両と物体との距離が少なくとも近似的に一定に保たれる第１の走行状態に割り当てられた第１のセクタと、車両と物体との距離が減っていく第２の走行状態に割り当てられた第２のセクタと、車両と物体との距離が増えていく第３の車両状態に割り当てられた第３のセクタとを含むことができる。制御情報は、比較に依存して第１、第２、または第３のセクタで最新の走行状態を表示するために構成されていてよい。各セクタは色分けされて構成されていてよい。たとえば第２のセクタは警告色を含むことができる。各セクタによって運転者は、表示装置に表示された情報をいっそう容易に理解することができる。これに代えて、表示装置はこれ以外の適当な数のセクタを有することもできる。表示装置は、セクタに代えて線または点を有することもできる。たとえば表示装置は、２  １／２セクタすなわち２つのセクタと１つの点、４つのセクタ、または５つのセクタを有することもできる。それぞれ異なるセクタ、線、または点が、適当な走行状態にそれぞれ割り当てられていてよい。
【００２７】
このとき制御情報は、第１、第２、および第３のセクタのサイズ比率を、車両の速度に関する情報に依存して調整するために構成されていてよい。それにより、表示装置で利用することができる表示スペースを、関連する情報の表示のために最善に活用することができる。
【００２８】
さらに本発明は、車両の走行状態を表示するための表示装置を提供するものであり、次の構成要件を有している：
【００２９】
車両と物体との距離が少なくとも近似的に一定に保たれる第１の走行状態に割り当てられた第１の表示領域；
【００３０】
車両と物体との距離が減っていく第２の走行状態に割り当てられた第２の表示領域；
【００３１】
車両と物体との距離が増えていく第３の走行状態に割り当てられた第３の表示領域；
【００３２】
車両の安全な走行状態に関する情報と関連づけたうえで車両の最新の走行状態に関する情報の表示を惹起するために、表示装置を制御するための制御情報を受信するためのインターフェース。
【００３３】
表示装置はアナログ式の計器であってよく、たとえば指針型メータであってよい。表示装置は、関連する情報がフェードインされるスクリーンを有することもできる。各々の表示領域に、運転者にとって視認可能な表示装置の表面の１つの部分が割り当てられていてよく、または、表示装置により利用される表示部材の１つの部分が割り当てられていてよい。表示領域は面要素、線、または点を含むことができる。面要素は、たとえばセクタまたはストライプを表すことができる。
【００３４】
１つの実施形態では、表示装置は物体の結像を表示するための表示領域を有している。このことは運転者にとって、実際の交通事情と表示された情報との間の関連性を見出すのを容易にする。
【００３５】
さらに本発明は、走行課題にあたって表示装置により車両の運転者を支援する方法を提供するものであり、次の各ステップを含んでいる：
【００３６】
本発明の１つの実施形態に基づいて制御情報を決定する；
【００３７】
本発明の１つの実施形態に基づいて表示装置に制御情報を提供する；
【００３８】
制御情報に対する応答として、車両の安全な走行状態に関する情報と関連づけたうえで最新の走行状態に関する情報を表示装置によって表示する。
【００３９】
さらに本発明は、本発明による方法の各ステップを相応の装置で実施ないし具体化するために構成された機構を提供する。このような機構の形態での本発明の実施態様によっても、本発明の根底にある課題を迅速かつ効果的に解決することができる。機構とは本件においては、センサ信号を処理し、これに依存して制御信号を出力する電気機器であると解することができる。この機構は、ハードウェアおよび／またはソフトウェアとして構成されていてよいインターフェースを有することができる。ハードウェアとしての構成では、インターフェースはたとえば本機構の種々の機能を含む、いわゆるシステムＡＳＩＣの一部であってよい。しかしながら、インターフェースが独立した集積回路であり、または、少なくとも部分的に離散したデバイスで成り立っていることも可能である。ソフトウェアとしての構成では、インターフェースは、たとえばマイクロコントローラにその他のソフトウェアモジュールと並んで存在するソフトウェアモジュールであってよい。
【００４０】
半導体メモリ、ハードディスクメモリ、または光学メモリのような機械読取可能な担体に格納されていてよく、コンピュータに相当する機器でプログラムが実行されたときに、上に説明した実施形態のうちの１つに基づく方法を実施するために利用される、プログラムコードを有するコンピュータプログラム製品も好ましい。
【００４１】
次に、添付の図面を参照しながら本発明を一例として詳しく説明する。図面は次のものを示している：
【図面の簡単な説明】
【００４２】
【図１】本発明の１つの実施例に基づく、車両の安全な走行状態を表示する方法のフローチャートである。
【図２】本発明の１つの実施例に基づく表示装置を示す図である。
【図３】本発明の１つの実施例に基づく別の表示装置を示す図である。
【図４】表示装置の一部分を示す図である。
【図５】表示装置の一部分を示す別の図である。
【図６】本発明の１つの実施例に基づく表示装置を示す図である。
【図７】本発明の１つの実施例に基づく別の表示装置を示す別の図である。
【図８】本発明の１つの実施例に基づく別の表示装置を示す別の図である。
【図９】本発明の１つの実施例に基づく表示を示す別の図である。
【図１０】本発明の１つの実施例に基づく別の表示装置を示す別の図である。
【発明を実施するための形態】
【００４３】
本発明の好ましい実施例についての以下の説明では、異なる図面に示されていて類似の作用をする部材には同一または類似の符号が使われており、当該部材について繰り返して説明することはしない。
【００４４】
図１は、本発明の１つの実施例に基づく、車両の安全な走行状態を表示する方法のフローチャートを示している。ステップ１０１では、他車両との衝突の危険がない車両の安全な走行状態が判定される。ステップ１０３では、車両の最新の走行状態が判定される。ステップ１０５では、安全な走行状態と最新の走行状態とに基づいて、安全な走行状態に関する情報と関連づけたうえで最新の走行状態に関する情報の表示を表示装置により惹起するのに適した、表示装置を制御するための制御情報が決定される。ステップ１０７では、安全な走行状態に関する情報と関連づけたうえで最新の走行状態に関する情報を表示装置により表示するために、制御情報が表示装置に出力される。このとき表示装置は、以下の実施例においてさまざまな態様で説明するようなＴＴＣスピードメータであってよい。
【００４５】
１つの実施例では、表示装置は、衝突余裕時間ＴＴＣすなわち考えられる衝突までの時間を表示する。
【００４６】
ＴＴＣは一般に周知ではあるが、それにもかかわらず、特に視覚またはカメラに基づく判定という観点からここでも簡略に説明しておく。
【００４７】
自己車両と、衝突に関連する物体との間の一定の速度差ｖ＝ｖＥｇｏ−ｖＯｂｊを有する簡略化したシナリオについて考察する。負の速度差は、物体が近づきつつあることを意味している。最新の距離をｄとする。すると、衝突までの時間は次式となる。
【００４８】
【数１】
0005905088.tif 000002
【００４９】
自己車両と結合されたカメラが、カメラ平面Ｗに対して間隔が平行である２つの点で物体を追跡しているとする。すると、ピンホールカメラモデルに基づく焦点距離ｆのカメラの画像には、次の間隔が生じる。
【００５０】
【数２】
0005905088.tif 000003
【００５１】
それに対して、時間差Ｔの分だけ先行する時点については次式が成り立つ。
【００５２】
【数３】
0005905088.tif 000004
【００５３】
区間Ｗのそれぞれ異なる大きさの結像の間のスケーリング係数としてｓ＝ｗ／ｗｐを定義すると、次式が得られる。
【００５４】
【数４】
0005905088.tif 000005
【００５５】
または
【００５６】
【数５】
0005905088.tif 000006
【００５７】
次に、いくつかの典型的な状況について考察する。
【００５８】
一定の距離を置いて追従走行をしているとき、画像の大きさは変わらないまま保たれており、ｗ＝ｗｐまたはｓ＝１が成り立つ。したがって衝突までの時間は無限であり、ＴＴＣ＝∞である。すなわち、加速度と制動とを制御する、物体の後方での追従走行のための前後方向コントローラが、この点ＴＴＣ＝∞を目指して作用する。
【００５９】
物体に近づいているときには、ｗ＞ｗｐまたはｓ＞１が成り立つ。それに応じてＴＴＣは正の値をとる。数字の例を挙げると、Ｔ＝４０ｍｓの画像周期とｗ＝１０２ピクセルおよびｗｐ＝１００ピクセルの距離では、ＴＴＣ＝２．０ｓが得られる。
【００６０】
たとえば追い越し車両のような物体が遠ざかっていくとき、ｗ＜ｗｐまたはｓ＜１が成り立つ。ＴＴＣは負の値をとる。
【００６１】
衝突の時点ＴＴＣ＝０では、またはその直前もしくは直後には、スケーリング係数ｓが＋∞または−∞に向かっていく。
【００６２】
画像に基づいてＴＴＣを決定するという選択肢は、以上までに述べた限りにおいて、数十年前から知られている。
【００６３】
ここまでに説明したＴＴＣは、物体が、厳密には物体に隣接する各点が、カメラと衝突する時点に関わるものである。しかし実際の適用については、自分の車両フロントとの衝突点が関心の対象となる。
【００６４】
自己の速度ｖＥｇｏが既知であることから、カメラに関わるＴＴＣＣａｍを、たとえばバンパのような車両フロントに関わるＴＴＣＦｒｏｎｔに換算することができる：ＴＴＣＦｒｏｎｔ＝ＴＴＣＣａｍ−ｌ／ｖＥｇｏ。ここで長さｌは、カメラと車両フロントとの間の縦方向すなわち走行方向における間隔である。例：ｌ＝２ｍかつｖＥｇｏ＝２０ｍ／ｓのとき、ＴＴＣＦｒｏｎｔはＴＴＣＣａｍよりも０．１ｓだけ短い。
【００６５】
このような計算は、物体の速度ｖＯｂｊを考慮に入れていないので、簡略化されたものである。自己車両が前進走行しているという考察しているシナリオでは、前方の車両の後退走行を度外視したとき、自己速度は数値的に速度差よりも常に大きいので、この簡略化は安全な側へと片寄った見積りである。つまりこうして決定されるＴＴＣＦｒｏｎｔは、通常、実際のＴＴＣよりも若干短い。
【００６６】
１つの実施例では、車両フロントよりも手前にある平面に関わるＴＴＣＦｒｏｎｔが運転者に表示され、場合によりＴＴＣが表示され、それによって安全性の余裕がもたらされる。
【００６７】
図２は、本発明の１つの実施例に基づく表示装置２００の図面を示している。表示装置２００は円形の目盛２０２を有している。目盛２０２には左側に数字０、右側にチェックマークの形態の記号が記されている。上半分には、数字０を起点として数字−１，−２，−３，−４および−８が目盛２０２に示されている。下半分には、数字０を起点として数字１，２，３，４および８が目盛２０２に示されている。これらの数字は、ＴＴＣの基本的な表示を可能にするものである。ここでは数字は衝突までの時間を秒単位で表している。目盛２０２は、３つのセクタ２１０，２１２，２１４に分割された円を囲んでいる。数字０のところに、セクタ２１２，２１４の間のセクタ境界がある。数字−４のところに、セクタ２１０，２１２の間のセクタ境界がある。数字４のところに、セクタ２１０，２１４の間のセクタ境界がある。セクタ２１０の内部には「追従」の文字が記されていてよい。セクタ２１２の内部には「加速！」の文字が記されていてよい。セクタ２１４の内部には「減速！」の文字が記されていてよい。別案として、「追従」、「減速」、および「加速」の要求は記号の形態で、いわゆるアイコンの形態で、有意義に表示することもできる。指針２２０は最新の走行状態を表している。指針２２０は現在、セクタ２１４で数字１および２の間の中央を示している。最新の走行状態が変化すると、または安全な走行状態が変化すると、指針２２０が配置を変化させる。図示した表示装置２００の要素は全面的または部分的にスクリーンに表示することができ、あるいは、運転者の視界に投影することもできる。
【００６８】
図２に示す表示装置２００は、ここでは指針型計器としての、ＴＴＣスピードメータの１つの考えられる実施形態である。理想的な追従走行のためにはアクセルとブレーキを用いて、チェックマークが付されている目盛２０２の点まで、指針２２０を右方に向かって制御しなくてはならない。
【００６９】
一定の距離を置いて追従走行をしているときは、ＴＴＣ＝∞である。この理想点は、自動式の距離コントローラ（ＡＣＣ）によっても、人間の運転者によっても求められるべきものである。この点が、本例ではチェックマークで表示されている。この点は目標状態である。
【００７０】
さらに、ＴＴＣが秒単位でプロットされた目盛２０２を見ることができる。点線は目盛２０２を、本例ではそれぞれ１２０°ごとの３つのセクタ２１０，２１２，２１４に下位区分している。
【００７１】
ＴＴＣが０ｓから４ｓの「減速！」と記された左下のセクタ２１４に指針２２０があるときには、指針が数字のゼロに近いほど緊急に制動の介入が必要である。
【００７２】
ＴＴＣが０ｓから−４ｓの「加速！」と記された左上のセクタ２１２では、物体に追従したいときには加速をすればよい。
【００７３】
「追従」と記された右のセクタ２１０に指針があるとき、行動を緊急に起こす必要はなく、もしくはまだない。
【００７４】
他の両方のセクタ２１２，２１４について本例では線形の目盛２０２が選択されおり、すなわち指針角によるＴＴＣの線形の推移が選択されており、それに対して、右側の区域２１０では著しく非線形となっている。図面に見られるとおり、目盛２０２は無限点を通って延びており、厳密に言えば本例では−∞と＋∞が一致する。ＴＴＣについての非線形の目盛２２０は、少なくともこのセクタ２１０には必要である。
【００７５】
ただし、こうした技術的な細部を運転者は知らなくてよく、理解もしなくてよい。運転者にとって重要なのは、アクセルとブレーキで指針２２０の位置にどのような影響を及ぼすことができるかを知り、指針２２０をできるだけ目標点の近くに保つのがよいことを知ることだけであり、目標点は、当然ながら、チェックマーク以外のものによって表示ないし強調されていてもよい。
【００７６】
図３は、本発明の別の実施例に基づくＴＴＣスピードメータ２００を示している。無限点または目標点は、本例では上側にある。図２に示すＴＴＣスピードメータとのさらに別の違いは、セクタ２１０，２１２，２１４が色付きで構成されているという点にある。たとえばセクタ２１０は緑色、セクタ２１２は青色、セクタ２１４は赤色に表示されている。セクタ２１０，２１２，２１４の内部はやはり「追従」、「減速！」、「加速！」の文字が表示されていてよい。セクタ２１０，２１２，２１４は本例でも環状の領域で表現されている。
【００７７】
このように図３は、ＴＴＣスピードメータ２００の別案の形態を示している。このＴＴＣスピードメータ２００が、図２に示すＴＴＣスピードメータ２００と相違しているのは、まず目盛２０２の向きにある。指針２２０が保たれるべき点は、本例では上方にある。
【００７８】
これは直感的な実施形態であるといえるかもしれない。というのも、速度用のスピードメータとの類似性が本例では大きいからである。指針２２０が左下にあれば加速することができ、大きく右側にあれば危険が増す。
【００７９】
これに加えてセクタ２１０，２１２，２１４は、本実施例では意図的に選択された色が背景となっている。
【００８０】
青色は「自由走行」を表しており、たとえばハイビームの青色の表示灯を連想させる。
【００８１】
赤色は「制動」を表しており、前方車両の赤色のブレーキランプや赤信号、あるいは赤色の停止記号などと同様である。
【００８２】
緑色は「正しい」走行を表しており、「経済的な」走行形態も表している。緑色の領域を意図的に活用し、その中で指針を「往復運動」させる運転者は、すなわち頻繁な加速と減速を回避する運転者は、自動的に経済的な移動をすることになる。
【００８３】
図４と図５は、本発明の１つの実施例に基づくアダプティブなセクタ２１０，２１２，２１４を備えた表示装置の一部分の図面をそれぞれ示している。本実施例では、セクタ２１０，２１２，２１４の大きさを車両速度に合わせて適合化することができる。図５に示す高い速度のとき、追従走行のためには、図４に示す速度が低いときよりも狭い緑色の領域がセクタ２１０の形態で生じる。それ以外のセクタ２１２，２１４も大きさに関して相応に適合化される。セクタ２１２は青色、セクタ２１４は赤色で表示される。セクタ２１０，２１２，２１４の内部には、同じく「追従」、「減速！」、「加速！」の文字が表示されていてよい。
【００８４】
本実施例では、図４に示すように、速度に依存してセクタの大きさが変化する。その理由は、一定の最大減速を想定したとき、停止するまでに制動に要する時間がｖＥｇｏにともなってほぼ線形に増加することにある。
【００８５】
目標物体も通常時にはこれに類似した制動時間を必要とし、このことは追加の安全性余裕を与える。しかし、このような安全性余裕は活用しないほうがよい。というのも、たとえば目標物体が渋滞の最後尾に衝突した場合や多重衝突に巻き込まれた場合のように、あらゆる状況で利用できるものではないからである。
【００８６】
緑色の領域２１０は、たとえば減速時間と、人間の反応時間と、ブレーキシステムの潜在的状態の時間との合計から求めた総時間から開始されるように設計することができる。
【００８７】
図６と図７は、本発明の１つの実施例に基づく目盛２０２のアダプティブな拡張を有する表示装置２００の図面をそれぞれ示している。本実施例では、セクタ２１０，２１２，２１４のセクタの大きさに代えて、車両速度に合わせて目盛２０２を適合化することができる。図６では、目盛２０２は低い速度について適合化されている。図７では、目盛２０２は高い速度について適合化されている。それに応じて図７の目盛２０２の数字は０，２，４，６，８，１５および−２，−４，−６，−８，−１５である。セクタ２１０，２１２，２１４の内部には、同じく「追従」、「減速！」、「加速！」の文字が表示されていてよい。数字０のところに、セクタ２１２，２１４の間のセクタ境界がある。数字−８のところに、セクタ２１０，２１２の間のセクタ境界がある。数字８のところに、セクタ２１０，２１４の間のセクタ境界がある。
【００８８】
本実施例では、セクタ２１０，２１２，２１４の適合化の別案として、目盛２０２の目盛値を変更することもでき、それは、たとえば目盛の線と数字が自己速度に依存して「変動」することによって行われる。ＴＴＣスピードメータ２００が部分的または全面的にディスプレイとして製作されていれば、目盛２０２のこのような拡張を容易に具体化することができる。図６と図７は、このような目盛適合化の一つの例を示している。
【００８９】
本発明の１つの実施例では、運転者またはドライブダイナミックプログラムが表示装置の表示へ介入することが可能となる。
【００９０】
表示への介入手段を運転者に与えるのが有意義な場合がある。そうすれば、たとえば運転者は、セクタ２１０，２１２，２１４の大きさや目盛２０２の拡張を、操作部材の手動操作によって変更できるようになる。そのために表示装置２００を制御するための制御装置は、１つまたは複数の操作部材への適当なインターフェースを有することができ、インターフェースを介して受信したデータに、表示装置２００で表示される情報の構成への影響を与えさせるように構成されていてよい。
【００９１】
このような実施例は運転者にとって、たとえば「経済的」から「ノーマル」を経て「スポーティ・ダイナミック」まで、表示計器２００を自分の走行スタイルに合わせて適合化できるという利点がある。
【００９２】
ＴＴＣ表示の種類も、現在すでに多くの車両モデルについて利用可能であるような、ドライブダイナミックプログラムの選択のための選択スイッチの位置と連動していてよい。
【００９３】
図８は、本発明のさらに別の実施例に基づくＴＴＣスピードメータ２００を示している。図３に示す実施例とは異なり、ＴＴＣスピードメータ２００には追加情報として、現在追従されている物体すなわち目標物体の画像８３０が表示される。指針２２０のうち、表示されるのは主要な部分すなわち先端部だけである。セクタ２１０，２１２，２１４は、目盛２０２の内部で環状に配置されている。画像８３０は、セクタ２１０，２１２，２１４で取り囲まれた円形の内部領域に表示されている。画像８３０は、車両に配置されたカメラによって検出されたものであってよく、適当なインターフェースを介して、ＴＴＣスピードメータ２００を制御するための制御装置へ提供することができる。それに応じて表示装置２００は、画像部分８３０が自動的に選択される一体型のビデオディスプレイを有することができる。
【００９４】
従来のＡＣＣシステムでは、システムが現在どの目標物体に合わせてコントロールしているのかを、運転者が明確に知ることはない。カメラに基づくシステムでは、または他のセンサに追加して少なくとも１つのカメラを有するシステムでは、技術的な前提条件が整っていれば、ここでは特に画像表示の手段があれば、たとえば図８に示すような形態で目標物体を運転者に画像８３０として表示することができる。
【００９５】
カメラ画像から正しい目標物体を「切り取る」ために必要な一切の情報が、このようなシステムには存在している。
【００９６】
選択的に、オリジナル画像の一部分８３０は常に一定の大きさを有することができ、その場合、表示される物体は通常どおり距離に反比例するようにスケーリングされる。他方では、切り取られた物体をスケーリング変更し、それにより、たとえば物体の表示サイズを距離に関わりなくほぼ等しく保つことも可能である。
【００９７】
さらに、表示される物体の画像８３０を意図的に表示計器２００の中央から横にずらして表示することもでき、それは、たとえばその物体に引き続き追従するにはハンドルを切るか、場合により車線を変更すべきであることを運転者に示唆するためである。たとえば画像８３０の物体が右方へずれていることは、それによって運転者が右方へハンドルを切るよう要請されることを意味することができる。
【００９８】
特定の状況のもとで、たとえば目標物体の変更中に、複数の物体が同時に関与しているときには、任意選択で、これらの物体を同時に表示することもできる。
【００９９】
図９は、本発明のさらに別の実施例に基づく、１つまたは複数のＴＴＣスピードメータ２００の表示の可能性を示している。ここでは関与する各々の物体について、それぞれ１つのＴＴＣスピードメータ２００がカメラ画像８３０にフェードインされている。すなわち図８に示す実施例とは異なり、物体の画像がＴＴＣスピードメータの表示に埋め込まれるのではなく、ＴＴＣスピードメータ２００の表示が物体の画像８３０に埋め込まれる。このときＴＴＣスピードメータ２００は簡略化して表示されていてよい。たとえば目盛２０２は数字なしに表示されて、セクタ２１０，２１２，２１４に組み込まれていてよい。セクタ２１０，２１２，２１４は環状に、かつそれぞれ異なる色で表示されていてよい。セクタ２１０，２１２，２１４で取り囲まれる領域には、そのＴＴＣスピードメータ２００が割り当てられた物体と衝突するまでの時間を表示することができる。この時間表示は、自分の車両の速度と他車両の速度が変わらないという想定のもとで決定される。時間表示は背景が色つきになっていてよく、色の選択は、時間表示によって示された値の大きさに依存して決まる。たとえば時間表示の値をまず算出し、次いで、この値に対応する色を時間表示の背景色のために選択することができる。
【０１００】
図９には、２つのＴＴＣスピードメータ２００が示されている。第１のＴＴＣスピードメータ２００は、すぐ前を走行する第１の車両に割り当てられており、時間表示として５．８ｓの値を表示している。この時間表示は、注意を喚起する黄色の色を背景色としている。第１のＴＴＣスピードメータ２００の寸法は、第１の車両の表示サイズに合わせて適合化されている。
【０１０１】
第２のＴＴＣスピードメータ２００は、第１の車両の前方にある第２の車両に割り当てられており、１１ｓの値を時間表示として示している。この時間表示は、安全を示唆する緑色を背景色としている。第２のＴＴＣスピードメータ２００の寸法は、第２の車両の表示サイズに合わせて適合化されている。ここでは第２のＴＴＣスピードメータ２００は、第１のＴＴＣスピードメータ２００よりも小さく表示され、それにより、第２の車両が第１の車両よりも遠くにいることが運転者に明瞭となる。
【０１０２】
さらに別のＴＴＣスピードメータも表示することができる。複数のＴＴＣスピードメータを表示するための十分なスペースが用意できないときは、２つまたはそれ以上のＴＴＣスピードメータを相互に部分的または全面的に重ねることができる。このとき、走行課題にとって重要なほうのＴＴＣスピードメータが、重要でないほうを隠すのが好ましい。通常、ＴＴＣの値が小さいＴＴＣスピードメータのほうが、値が大きいものよりも重要である。
【０１０３】
本実施例では、ＴＴＣスピードメータ２００の表示はカメラ画像８３０の中で行われる。ＴＴＣスピードメータの内部にカメラ画像断片を表示する代わりに、逆に１つまたは複数のＴＴＣスピードメータ２００を、運転者に表示されるカメラ画像８３０にフェードインすることもできる。
【０１０４】
図９の例では、２つの物体がちょうど関与しているところである。したがってこの両者について、それぞれ１つのＴＴＣスピードメータ２００が表示されており、本例では物体とともに動き、大きさに関しても画像８３０中の物体に合わせて適合化される。
このシステムの１つの大きな利点は、視線を外したときに明らかとなる。それは、運転者が交通状況から視線を一時的に外してから、再び新たな状況の全体像をつかまなくてはならない場合である。運転者はこうした状況のとき、ＴＴＣまたはこれに類似する量のような最新の距離変化を良く見積ることができるようになるまでに、まず、ある程度の時間をかけて物体を自分の目で観察しなくてはならない。
【０１０５】
それに対して、運転者がＴＴＣスピードメータ２００を見れば、自分にとって重要な量をただちに読み取ることができる。こうした時間的な利得は安全上の利得でもある。
【０１０６】
さらに運転者としての人間は、物体の距離までの大きい距離と、ダッシュボードまでの距離に相当する短い距離とに合わせて、目の焦点を交互に合わせなければならないという問題を抱えている。こうした焦点変更のプロセスは遠近調節と呼ばれる。遠近調節はある程度の時間を必要とし、この時間は、年齢が高くなるにつれて長くなる。
その点でＴＴＣスピードメータ２００は、たとえば他の表示計器やナビゲーション情報やオンボードコンピュータの表示を読み取るために、目が近領域に焦点を合わせているとき、その間を通じて常にＴＴＣを読み取ることができ、すなわち、前後方向の介入にとって最重要の量を読み取ることができるという利点を提供する。運転者はＴＴＣを見て、再び交通を直接観察するべきときまでにあと何秒残されているかを、ほぼ読み取ることさえできる。
【０１０７】
本発明の１つの実施例では、光学表示と音声出力との組み合わせが行われる。
【０１０８】
ドライバーの中には、全員ではないものの、ＴＴＣスピードメータ表示器２００と適当な音声出力との組み合わせを好ましいと考える者もあるであろう。
【０１０９】
このようなＴＴＣスピードメータ２００の任意選択の補足をすれば、最新のＴＴＣに依存して、加速するべきか減速するべきか、どれくらいの強さで介入を行うべきか、現在介入なしで引き続き追従できるかどうかなどを運転者に示唆する、さまざまな音声信号を出力することができる。
【０１１０】
この点で、パイロットが機体を相応に操縦できるようにするために昇降に関する情報をたえず音声で知らせる、グライダーの音声式のバリオメーターとの類似性がある。
【０１１１】
たとえば目標物体がちょうど切り替わるとき、消えたとき、現れたときなどに、状態の変化に関して音声の短い応答メッセージを自動車ドライバーに与えるのも有意義である。
【０１１２】
音声情報の音量と種類を選択する可能性を運転者に与えるのが有意義である。
【０１１３】
運転者は、音声メッセージの頻度を調節する可能性も有しているのがよい。たとえば、システムが通常は音を出さないが、非常に高い蓋然性で介入が必要になった状況では、音声情報を出力するのが望ましい場合がある。
【０１１４】
そのような状況ではシステムは、運転者に必要な場合にだけ警告を出す警告システムになる。
【０１１５】
上に掲げた図面は、ＴＴＣスピードメータ２００をそれぞれ丸型インストルメントとして示している。これは好ましい表示形態でもある。ＴＴＣ目盛には−∞から∞までのすべての数値が現れ、この両方の無限点が互いに重なり合うからである。
【０１１６】
図１０は、本発明のさらに別の実施例に基づく別案の構成でＴＴＣスピードメータ２００を示している。図示されているのは、ここでは円形目盛に代わる直線目盛２０２による、ＴＴＣの考えられる別の視覚化である。この目盛２２０には衝突までの時間ＴＴＣがプロットされている。中央には、たとえば「Ｏ．Ｋ．」の文字が記されていてよいセクタ２１０がある。下側領域には、たとえば「減速！」の文字が記されていてよいセクタ２１４がある。上側領域には、たとえば「加速！」の文字が記されていてよいセクタ２１２がある。表示はカラーの背景が付いていてよく、下から上に向かって、赤から紫の光のスペクトル色を一周させることができる。最新の走行状態は、円形のマーキング２２０によって表示することができる。
【０１１７】
物体への追従をするとき、実際には、目盛２０２のすべての点を通過するケースが生じる可能性がある。ＴＴＣ＝０の位置で正負記号の転換が起こる可能性さえあり、すなわちそれは、ＴＴＣがカメラ平面前方の平面、すなわちたとえばフロント平面を対象としている場合である。たとえばボンネットよりも上の高さでフロント平面を動き続ける物体があれば、そうしたＴＴＣの正負記号の転換を引き起こすことになる。しかし、そうしたケースは稀にしか該当しないので、目盛２０２のこのような位置ＴＴＣ＝０は、ここで区切るために特別に適している。すなわち、従来の全円目盛から必要に応じて４分の３円目盛、半円目盛、３分の１円目盛、直線目盛などを形成することができる。
【０１１８】
図１０は、直線目盛２０２に沿ってＴＴＣ＝０のところで区切られる、そのような視覚化の一例を示している。
【０１１９】
これに加えて本例では連続的な色変化の背景が付されている。赤色の領域ではＴＴＣが正であり、すなわち衝突が目前に迫っている。およそ２ｓから０ｓまでの深紅の領域では、ブレーキ介入が緊急に必要である。ＴＴＣ＝０．８ｓ付近にある黒白のリングは最新の実際状態を表しており、その背後の薄いリングは短時間の履歴を表している。データは、ｖＥｇｏ＝２０ｍ／ｓで定置の物体に近づくときのビデオに基づく相対的な測定をもとにしており、このとき回避操作によって衝突がぎりぎり防止される。緑色と青色の背景色の領域ではＴＴＣ＜０であり、これは、前方車両との距離が広がっていることを意味している。
【０１２０】
追従走行のために到達されるべき「無限点」は、「Ｏ．Ｋ．」および定置の星印で表されている。
【０１２１】
１つの実施例では、発光信号と色との組み合わせが可能である。たとえばＴＴＣスピードメータ２００に、発光信号のための出力手段を追加することができる。たとえば図２にはＴＴＣスピードメータ２００を囲む外側の円環が示されており、ここに発光ダイオードが設けられている。ここではＴＴＣが短いので、円環がここで赤色に表示されていてよい。
【０１２２】
このような光源が、時間的に変化する光信号または色に関して変化する光信号を出せば、ＴＴＣ出力の認識可能性をそれによって向上させることができる。たとえば、ブレーキ介入が必要なときには光源を赤色に点滅させることができ、介入が緊急になると、点滅頻度を高くすることができる。
【０１２３】
それにより、運転者の注意力に対する影響も及ぼされる：発光信号は、特にそれが時間的に変化するとき、運転者によってその視野の周辺領域でも知覚することができ、すなわち、ＴＴＣスピードメータ２００を直接見ていなくても知覚することができる。
【０１２４】
発光色が変化し、その変化が連続的または切換式に行われることで、たとえば現在どのモードになっているのかを（追従、減速！、加速！）、運転者に表示することができる。このとき発光色は、図３を参照して説明した好ましい色の選択に従って選択することができる。
【０１２５】
発光ダイオードの円環に代えて、たとえば指針２２０の交互の発光など、その他にも光源を考慮に含めるための可能性は数えきれないほどある。
【０１２６】
さらに、光源によってたとえば発光ベルトとしてインターバルをＴＴＣスピードメータ２００で運転者に表示するのが有意義である。このことは特に、図４および図５を参照して説明した可変の大きさの区域２１０「追従」について当てはまる。
【０１２７】
光源は、たとえばフロントガラスの下側縁部など、ＴＴＣスピードメータ２００の外部で別の場所に取り付けられていてもよい。
【０１２８】
本発明の１つの実施例では、ＴＴＣスピードメータを備えるヘッドアップディスプレイが具体化される。
【０１２９】
ダッシュボードへのＴＴＣスピードメータ２００の取付の別案として、ＴＴＣスピードメータ表示器２００をヘッドアップディスプレイを介して表示し、すなわち、フロントガラスや追加のディスクを介して投影によって運転者に表示するという選択肢もある。
【０１３０】
本発明の別の実施例では、加速度の考慮が行われる。このとき、ＴＴＣの決定にあたっても加速度を考慮することができる。これは速度信号の微分によって算定される、または加速度センサにより計測される自車の加速度であり、あるいは、たとえばレーダセンサにより測定される相対的な加速度であってもよい。
【０１３１】
従来、ＴＴＣの決定は一定の速度という想定に依拠するという想定が主として前提とされてきたのに対し、加速度を考慮に含めることは、一般に、ＴＴＣ信号のいっそうダイナミックな挙動を生じさせる。
【０１３２】
こうしたいっそう高いダイナミックさは運転者にとって、ＴＴＣスピードメータ２００を通じての表示との組み合わせにおいて、アクセルペダルやブレーキペダルの操作に関わる応答をいっそう迅速に得られるという利点がある。つまり自分の操作の影響に関して、いっそう直接的に情報が与えられる。このことは非常に好ましいものと感じられる可能性がある。
【０１３３】
１つの実施例では、後退走行、後方の交通、および側方の交通について応用が実施される。
【０１３４】
前方を向くカメラを取り上げてここで説明した考察はすべて、後方を向くカメラにも、たとえばバックカメラにも、そのまま適用することができる。考えられる用途は、たとえば車庫入れ、駐車のような後退走行のときの支援であり、そのようにして、障害物や他の車両との考えられる衝突に関する情報を、ＴＴＣを通じて運転者に与えられるようにするためである。
【０１３５】
さらにＴＴＣを通じて、後ろから来ている車両に関しても情報を知らせることができ、それは特に、自己車両が後ろから来る物体よりも低速で前に進んでおり、衝突のリスクがある場合である。
【０１３６】
このことは、自己車両が追い越されるべき追い越しプロセスについても当てはまる。その運転者は、車線変更のために時間があるかどうか、どれだけの時間があるかを、ＴＴＣ表示器２００を用いてより良く見積ることができる。
【０１３７】
特に後方や側方の交通についてのＴＴＣ値の表示については、ＴＴＣスピードメータ２００または複数のＴＴＣスピードメータを別の場所に格納するのが好ましい場合がある。側方の交通についてのＴＴＣスピードメータ２００の特別に好適な場所は、それぞれ側方のバックミラーの周辺である。
【０１３８】
それに応じて後方の視界についてのＴＴＣスピードメータ２００については、バックカメラのモニタの近傍が特別に好都合である。
【０１３９】
衝突余裕時間の表示の代替または追加として、ＴＴＣに類似する量を表示することもでき、たとえばＴＴＣと目標物体との距離との数学的な組み合わせを表示することができる。これはもっとも一般的なケースでは、運転者が前方車両の後での追従走行をコントロールし、特にブレーキ介入により衝突を回避することを可能にするあらゆる量である。
【０１４０】
本発明による取組みは、カメラに基づく物体追跡方式を土台とすることができ、この方式は、画像から画像へのスケーリング変化を、およびこれに伴ってＴＴＣを、同時に是認できる計算コストで、高い精度で決定することができるアルゴリズムを提供するものである。したがってビデオをベースとする結果の品質を、ＴＴＣスピードメータを含むドライバーアシスト製品に利用することができる。
【０１４１】
このときＴＴＣスピードメータは、カメラをベースとする物体追跡方式と組み合わせるのに適しているのが理想的である。これに加えて、ビデオ以外のセンサに、たとえばレーダやレーザレーダに、ＴＴＣスピードメータを適用することも考えられる。
【０１４２】
このようなＴＴＣスピードメータは、安全性の追加利得をもたらすとともに経済的な走行を促進する、直感的に理解しやすい有用な計器である。
【０１４３】
図面に示して説明した各実施例は、一例として選択したものにすぎない。それぞれ異なる実施例を全面的に、または個々の構成要件に関して、相互に組み合わせることができる。１つの実施例を他の実施例の構成要件によって補完することもできる。さらに本発明による方法ステップは反復して実行することができ、ならびに、記載されているのとは異なる順序で実行することができる。
【符号の説明】
【０１４４】
１０１  判定のステップ
１０３  判定のステップ
１０５  決定のステップ
２００  表示装置
２１０  セクタ
２１２  セクタ
２１４  セクタ
【図１】
0005905088.tif 000007
【図２】
0005905088.tif 000008
【図３】
0005905088.tif 000009
【図４】
0005905088.tif 000010
【図５】
0005905088.tif 000011
【図６】
0005905088.tif 000012
【図７】
0005905088.tif 000013
【図８】
0005905088.tif 000014
【図９】
0005905088.tif 000015
【図１０】
0005905088.tif 000016